(57)【要約】【課題】水素を過飽和の状態で液体に含ませて、かかる過飽和の状態を安定に維持しでき、さらにウォーターサーバー等へ容易に取付けることができる気体溶解装置を提供することである。【解決手段】水に水素を溶解させて水素水を生成し取出口から吐出させる気体溶解装置である。水素を発生させる水素発生手段と、水素発生手段からの水素を水素バブルとして水に与えて加圧送水する加圧型気体溶解手段と、加圧型気体溶解手段で生成した水素水を導いて貯留する溶存槽と、溶存槽及び取出口を接続する管状路と、管状路から分岐して加圧型気体溶解手段に水素水を循環させる接続路と、を含み、加圧溶解手段、溶存槽、管状路、及び接続路を循環経路として、少なくとも水素を満たした上で水素水を循環させ、水素水に水素を飽和状態で含ませるとともに、加圧型気体溶解手段に繰り返し循環させて水素バブルを圧壊しナノバブルとすることを特徴とする。【選択図】図１
2017131822.tif 000002
【特許請求の範囲】
【請求項１】
水に水素を溶解させて水素水を生成し取出口から吐出させる水素水生成装置であって、
水素を発生させる水素発生手段と、
前記水素発生手段からの水素を水素バブルとして水に与えて加圧送水する加圧型気体溶解手段と、
前記加圧型気体溶解手段で生成した水素水を導いて貯留する溶存槽と、
前記溶存槽及び前記取出口を接続する管状路と、
前記管状路から分岐して前記加圧型気体溶解手段に前記水素水を循環させる接続路と、を含み、
前記加圧溶解手段、前記溶存槽、前記管状路、及び接続路を循環経路として、少なくとも水素を満たした上で前記水素水を循環させ、
前記水素水に水素を飽和状態で含ませるとともに、前記加圧型気体溶解手段に繰り返し循環させて前記水素バブルを圧壊しナノバブルとすることを特徴とする水素水生成装置。
【請求項２】
前記溶存槽は前記加圧型気体溶解手段からの前記水素水を水素とともに加圧貯留することを特徴とする請求項１記載の水素水生成装置。
【請求項３】
前記溶存槽は少なくともその一部にフィルターを与えて前記水素バブルを維持することを特徴とする請求項３記載の水素水生成装置。
【請求項４】
前記加圧型気体溶解手段はダイヤフラムポンプを含むことを特徴とする請求項１乃至３のうちの１つに記載の水素水生成装置。
【請求項５】
水に水素を溶解させて水素水を生成し取出口から吐出させる水素水生成方法であって、
水素を発生させる水素発生手段と、
前記水素発生手段からの水素を水素バブルとして水に与えて加圧送水する加圧型気体溶解手段と、
前記加圧型気体溶解手段で生成した水素水を導いて貯留する溶存槽と、
前記溶存槽及び前記取出口を接続する管状路と、
前記管状路から分岐して前記加圧型気体溶解手段に前記水素水を循環させる接続路と、を含む水素水生成装置において、
前記加圧溶解手段、前記溶存槽、前記管状路、及び接続路を循環経路として、少なくとも水素を満たした上で前記水素水を循環させ、
前記水素水に水素を飽和状態で含ませるとともに、前記加圧型気体溶解手段に繰り返し循環させて前記水素バブルを圧壊しナノバブルとすることを特徴とする水素水生成方法。
【請求項６】
前記溶存槽には少なくとも２００ｎｍ以下の平均径の水素バブルを与えることを特徴とする請求項５記載の水素水生成方法。
【発明の詳細な説明】
【技術分野】
【０００１】
本発明は、水素水生成装置及び水素水生成方法に関し、特に、水素を過飽和の状態で液体に含ませ、かかる過飽和の状態を安定に維持し提供できる水素水生成装置及び水素水生成方法に関する。
【背景技術】
【０００２】
近年、水やお茶といった飲料に水素（水素ガス）を充填した清涼飲料水などが販売されている。これは、飲料に充填させた水素ガスを摂取することにより、人間の体内に存在する活性酸素を還元させることを目的としている。
【０００３】
一方、活性酸素は、クエン酸サイクルでＡＴＰ（アデノシン三リン酸）を作り出す時に重要な役割を果たすなど、生命維持に必須であるとともに、体内へ侵入してきた異物を排除する役割も担っていることが判ってきている。また、生体内の反応などで用いられなかった活性酸素は、通常、細胞内に存在する酵素によって分解される。しかしながら、すべての活性酸素が酵素によって分解されるわけではなく、余剰の活性酸素が分解されずに存在することになる。その結果、余剰の活性酸素により細胞が損傷され、癌や生活習慣病等の疾病、および老化などを招来する原因となり得る。そのため、余剰の活性酸素を排除することが健康維持のために求められている。
【０００４】
そこで、近年、かかる余剰の活性酸素を排除する物質として水素が用いられている。水素は、その分子量がきわめて小さいために身体内に吸収されやすく、さらに活性酸素と反応すると水に変化するので、安全性が高いなどの理由を有するからである。また、数多い活性酸素の中でも特にヒドロキシラジカルのみを選んで還元し、身体に有用な活性酸素に影響を与えないからである。
【０００５】
このように、水素ガスを充填した飲料の摂取は、病気予防や健康増進といった有用な効果を奏する。そのため、水素を液体に溶解することを目的として、種々の手段が公開されている。
【０００６】
例えば、特許文献１には、密閉容器（Ａ）中で飲料水と水素ガス若しくは水素ガスを含む混合気体を加圧状態で接触させて該飲料水に水素を溶解させて水素水を生水する方法に於いて、容器（Ａ）内の水素水が利用のために排出されて、容器（Ａ）の内圧が低下した時点で排出を停止し、その後新規な飲料水を密閉状態の容器（Ａ）に充填することで容器（Ａ）の内圧を上昇させ、再度容器（Ａ）内に充填された飲料水に水素を溶解させる水素水の生水方法が、開示されている。
【０００７】
また、特許文献２には、飲料に供する水素水であって、水素ガスを飽和状態に溶解した溶解水を、オリフィスの小孔を通過して圧力を解放することにより溶解していた水素ガスを微細な気泡として発生させ、この微細な気泡を網部材に導いて通過させることにより微細化させて、粒径が１μｍ〜５０μｍ程度の微細気泡にし、この粒径が１μｍ〜５０μｍ程度の水素ガスのマイクロバブルを含有していることを特徴とする水素水が、開示されている。
【０００８】
さらに、特許文献３には、空気中の水分を結露させて凝縮した結露水を生成する結露装置と、この結露水に対して水素発生反応を生じさせることによって、活性水素を溶存した水素水を生成する水素水化処理装置と、この水素水から不純物を除去して、水素水とするフィルタユニットと、この水素水を貯留して、飲料水として供給する飲料水サーバとから構成したことを特徴とする水素水製造装置が、開示されている。
【０００９】
また、特許文献４には、（イ）管体と、（ロ）管体の一方の端部に形成され、原料水を高圧で供給する原料水供給系と、（ハ）管体に水密結合され、原料水供給系から供給された原料水に対して、ほぼ直角に水素を供給する水素供給系と、（ニ）管体内において前記水素供給系の下流に管体の長手方向に形成され、原料水供給系から管体に供給された原料水と、水素供給系から管体に供給された水素の混合流体を拡散させるための拡散室と、（ホ）拡散室に充填され、所定の孔径を有し、供給された水素を微細気泡として通過させるための多孔質要素と、（ヘ）管体の他方の端部に形成され、製造された加水素水を排出する排出口と、を備えている水素を微細気泡として大量に含んだ加水素水の製造装置が、開示されている。
【００１０】
さらに、特許文献５には、水供給部と、水素供給部と、前記各供給部から水と水素の供給を受けて水素混入水を吐出する気液混合ポンプと、気液混合ポンプから吐出される水素混入水が攪拌される攪拌部と、攪拌部からの水素混入水が所定の滞流をなして溶存水素以外の水素を放出させる放気安定槽とを含んで構成されることを特徴とする水素水の連続製造装置が、開示されている。
【００１１】
さらにまた、特許文献６には、貯留した水に水素を溶解させるための容器と、水素化マグネシウムの加水分解により水素を発生させる水素発生部と、該水素発生部で発生した水素を前記容器に供給する水素供給管と、前記容器に貯留された水に加圧された水素が溶解してなる水素水を外部へ供給する水素水供給管とを備える水素水製造装置が、開示されている。
【００１２】
また、特許文献７には、加圧液体と加圧気体とを接触させることにより、気体を液体に溶解させる加圧型気体溶解機構と、液体流路において該加圧型気体溶解機構の後に設置された降圧機構とで構成される気体溶解装置であって、降圧機構が、複数のキャピラリーの内側に加圧液体を流すことにより、液体を降圧させるべく構成されたものであることを特徴とする気体溶解装置が、開示されている。
【先行技術文献】
【特許文献】
【００１３】
【特許文献１】特開２０１３−１２６６５０号公報
【特許文献２】特許第５３４２１５６号公報
【特許文献３】特開２０１３−９４７５７号公報
【特許文献４】特開２００７−２３７１６１号公報
【特許文献５】特開２００８−６３６５号公報
【特許文献６】特開２０１３−２２５６７号公報
【特許文献７】特開平８−８９７７１号公報
【発明の概要】
【発明が解決しようとする課題】
【００１４】
水素水はその効果を得るために十分高い水素濃度を得て、これを安定的に維持できることが望ましいが、一般に、高濃度の水素水を生成することは難しく、また、例えば飽和状態で水素を溶解させたとしても、簡単に水素ガスを気相に拡散させて水素濃度を低下させてしまう。
【００１５】
本発明は上記した事情に鑑みてなされたものであって、その目的とするところは、水素を過飽和の状態で液体に含ませて、かかる過飽和の状態を安定に維持できる水素水生成装置及び水素水生成方法を提供することにある。
【課題を解決するための手段】
【００１６】
本発明の水素水生成装置は、水に水素を溶解させて水素水を生成し取出口から吐出させる水素水生成装置であって、水素を発生させる水素発生手段と、前記水素発生手段からの水素を水素バブルとして水に与えて加圧送水する加圧型気体溶解手段と、前記加圧型気体溶解手段で生成した水素水を導いて貯留する溶存槽と、前記溶存槽及び前記取出口を接続する管状路と、前記管状路から分岐して前記加圧型気体溶解手段に前記水素水を循環させる接続路と、を含み、前記加圧溶解手段、前記溶存槽、前記管状路、及び接続路を循環経路として、少なくとも水素を満たした上で前記水素水を循環させ、前記水素水に水素を飽和状態で含ませるとともに、前記加圧型気体溶解手段に繰り返し循環させて前記水素バブルを圧壊しナノバブルとすることを特徴とする。
【００１７】
かかる発明によれば、飽和状態の水素水にさらに水素のナノバブルを含んだ水素水を生成できるので、過飽和の状態で水素を含ませることができるとともに、これを安定的に維持することができるのである。
【００１８】
上記した発明において、前記溶存槽は前記加圧型気体溶解手段からの前記水素水を水素とともに加圧貯留することを特徴としてもよい。かかる発明によれば、溶存槽で貯留した水素水においても過飽和の状態を維持し得る。
【００１９】
上記した発明において、前記溶存槽は少なくともその一部にフィルターを与えて前記水素バブルを維持することを特徴としてもよい。かかる発明によれば、水素水の過飽和の状態を容易に維持できる。
【００２０】
上記した発明において、前記加圧型気体溶解手段はダイヤフラムポンプを含むことを特徴としてもよい。かかる発明によれば、水素を水素バブルとして水に与えて加圧送水することを容易とし、過飽和の状態の水素水を生成できる。
【００２１】
また、本発明による水素水生成方法は、水に水素を溶解させて水素水を生成し取出口から吐出させる水素水生成方法であって、水素を発生させる水素発生手段と、前記水素発生手段からの水素を水素バブルとして水に与えて加圧送水する加圧型気体溶解手段と、前記加圧型気体溶解手段で生成した水素水を導いて貯留する溶存槽と、前記溶存槽及び前記取出口を接続する管状路と、前記管状路から分岐して前記加圧型気体溶解手段に前記水素水を循環させる接続路と、を含む水素水生成装置において、前記加圧溶解手段、前記溶存槽、前記管状路、及び接続路を循環経路として、少なくとも水素を満たした上で前記水素水を循環させ、前記水素水に水素を飽和状態で含ませるとともに、前記加圧型気体溶解手段に繰り返し循環させて前記水素バブルを圧壊しナノバブルとすることを特徴とする。
【００２２】
かかる発明によれば、飽和状態の水素水にさらに水素のナノバブルを含んだ過飽和の状態の水素水を生成できるので、過飽和の状態で水素を含ませることができるとともに、これを安定的に維持することができるのである。
【００２３】
上記した発明において、前記溶存槽には少なくとも２００ｎｍ以下の平均径の水素バブルを与えることを特徴としてもよい。かかる発明によれば、水素水の過飽和の状態を容易に維持できる。
【図面の簡単な説明】
【００２４】
【図１】本発明の水素水生成装置を示すブロック図である。
【図２】本発明の水素水生成工程を示すフロー図である。
【図３】本発明の水素水生成装置の使用の一例を示すブロック図である。
【発明を実施するための形態】
【００２５】
以下、本発明の水素水生成装置について具体的に説明する。
【００２６】
図１に示すように、水素水生成装置１は、水素を発生させる水素発生手段２と、この水素を加圧して液体に溶解させる加圧型気体溶解手段３と、水素を溶解している液体を溶存及び貯留する溶存槽４と、この液体を管状路である細管５ａに流すことで降圧させる降圧移送手段５と、を含む。
【００２７】
ここで、降圧移送手段５は、溶存槽４及び取出口１０を接続する細管５ａにおいて、取出口１０からの水素水の吐出動作による細管５ａ内の圧力変動を防止しこの中に層流を形成させる。例えば、降圧移送手段５の細管５ａは、内部を流れる液体の圧力にもよるが比較的長尺であり径の小さいことが好ましく、管状路である細管５ａの取出口近傍に管径を絞った若しくは拡げたテーパを与えた圧力調整部を含むものであってもよい。
【００２８】
また、水素水生成装置１において、細管５ａの内径をＸｍｍとし、加圧型気体溶解手段３により加えられる圧力をＹＭＰａとしたときに、細管５ａ内に層流を形成させるようなものであって、Ｘ／Ｙの値が、１．００〜１２．００であることを特徴とするものであり、さらに、Ｘ／Ｙの値が、３．３０〜１０．０であることが好ましく、４．００〜６．６７であることがより好ましい。過飽和の状態で水素を含む液体が、かかる条件の細管５ａ中を層流状態で流れて降圧移送されることで、過飽和の状態を安定に維持し移送することができる。ここで、「過飽和の状態」とは、ある温度において水素の液体中に存在する量が、その温度における溶解度に基づく量より多い状態を示す。つまり、飽和水素量の液体にさらに微細な水素ガスの気泡が混合されていてもよい。但し、水素水の上に気相として分離した水素ガスによる層は液体中に存在する量に含めない。
【００２９】
さらに、水素発生手段２は、電気分解装置２１を有し、さらにまたイオン交換装置２２を備えている。また、電気分解装置２１は、電気分解により水素を発生させるもので、例えば、固体高分子膜（ＰＥＭ）方式として知られる公知の装置を用い得る。なお、イオン交換装置２２はイオン交換樹脂等を用いてイオン交換を行うものであり、水素発生手段２に含まれていることが好ましい。なお、水素発生手段２としては電気分解以外によってもよいが、電気分解を用いることが好ましい。電気分解であれば、例えば、水素ボンベを使用せず、約１ＭＰａ以下の低い圧力でしかもオンサイトで水素を使用することができる。また、電気分解装置２１は、固体高分子膜（ＰＥＭ）方式以外であっても良い。
【００３０】
液体としては、水又はお茶、コーヒー等の飲料であり、上記したように電気分解により水素を得るため、少なくとも水を含む。なお、水を用いることで、水素を溶解させるにあたり、他の成分の影響を最小限にすることができる。以降、液体は水として説明する。
【００３１】
図２を併せて参照すると、水素水生成装置１の液体吸入口７から水を吸入し（Ｓ１）、水素発生手段２からの水素を合流させて加圧型気体溶解手段３の吸入口８を経由してポンプ３ａで水素を水に混合し（Ｓ２’）、加圧送水される。これにより加圧された水素を溶解させた（Ｓ２）後、この吐出口９から水素水を吐出する。吐出された水素水の一部は分離され（Ｓ２’’）、イオン交換装置２２でイオン交換されて（Ｓ３）電気分解装置２１に送られる。電気分解装置２１では、イオン交換された水素水を用いて電気分解を行い（Ｓ４）水素を発生させ、水素供給管２４を通して加圧型気体溶解手段３の吸入口８へと送られる水に合流させる。また、電気分解により発生した酸素は、酸素排出口２５を通して水素水生成装置１の外へと排出される。
【００３２】
加圧型気体溶解手段３の吐出口９から吐出されて分離されなかった水素水は、溶存槽４に加圧状態で貯留される。つまり水素は溶存槽４において水に加圧状態で溶存される（Ｓ５）。溶存槽４に貯留された水素水は、降圧移送手段５である細管５ａ内で層流状態を維持して流れることで降圧される（Ｓ６）。
【００３３】
ここで、降圧された水素水は、切替弁１１により接続路１２を介して加圧型気体溶解手段３へ導くことができる（Ｓ７’）。つまり、水素水を循環させることができ（Ｓ７）、加圧型気体溶解手段３によって水素水にさらに水素を混合させて加圧送水して溶解させることができる。他方、降圧された水素水を切替弁１１により取出口１０へ導き、外部へ吐出させることもできる（Ｓ８）。
【００３４】
また、降圧移送手段５である細管５ａの内径Ｘは、１．０ｍｍ以上５．０ｍｍ以下であることが好ましく、１．０ｍｍより大きく３．０ｍｍ以下であることがより好ましく、２．０ｍｍ以上３．０ｍｍ以下であることがさらに好ましい。かかる範囲とすることで、１本の細管５ａの管内に層流を形成しつつ降圧させることができる。つまり、溶解した水素をガス化させないようにして、高濃度を維持できる。なお、細管５ａは、二重管などであってもよい。
【００３５】
さらに、２０℃における加圧型気体溶解手段３の圧力Ｙとしては、０．１０〜１．０ＭＰａであることが好ましく、０．１５〜０．６５ＭＰａであることがより好ましく、０．２０〜０．５５ＭＰａであることがさらに好ましく、０．２３〜０．５０ＭＰａであることが最も好ましい。かかる範囲の圧力とすることで、水素を水に容易に溶解でき、容易に飽和状態の水素水を得ることができるとともに、通常のポンプでの加圧を可能とする。また、加圧型気体溶解手段３は、吐出口９の方向を上向きに設置することが好ましい。これにより、ポンプ圧送効率を向上させて、水素の溶解効率を高めることができる。
【００３６】
さらにまた、水素水生成装置１は、上記したように加圧型気体溶解手段３で加圧して水素を溶解した水を、接続路１２を介して加圧型気体溶解手段３に送り、循環させることができる。これにより、水素の溶解濃度を高めることができる。
【００３７】
特に、上記した、加圧型気体溶解手段３、溶存槽４、管状路である細管５ａ及び接続路１２を経由する循環経路において、空気等の他の気体が混入しないよう、各経路や溶存槽４などは気密性を得られていることが好ましい。つまり、この循環経路には水素と水が満たされており、他の気体の混入を防止される。これにより、循環系路内に形成される気相の層では水素の分圧を高くすることができ、この気相に接する水の水素濃度を高く維持し得る。例えば、溶存槽４では、過飽和の状態に水素を含む水から水素が排出されて上部に気相の層として水素ガスを貯留し得るが、このような気相の層において水素の分圧を高くすることができる。
【００３８】
また、加圧型気体溶解手段３においてバブリングしながら加圧送水することで、水素水に水素を溶存させるだけでなく、微細な気泡として存在させることもできる。特に、水素水を循環させて水素を加圧送水させることで水素の気泡をより細かくし、ナノバブルを生成し得る。ナノバブルを得ることで、水素ガスの気泡を水素水中に長時間保持できて、上記した過飽和の状態を容易に得て維持できる。すなわち、ナノバブルは水素水から浮上して気相の層に移動するまでの時間が長く、一方で水素水の水素濃度が低下すると速やかに水素水に溶解して水素水の水素濃度を高く維持し得る。
【００３９】
さらに、水素水生成装置１は、水素発生手段２と、加圧型気体溶解手段３とを制御するコントロール機構６を備える。コントロール機構６は、電源プラグ６１により電源に接続されている。また、コントロール機構６は、配線６２により水素発生手段２に接続され、配線６３により加圧型気体溶解手段３と接続され、気体発生手段２及び加圧型気体溶解手段３のそれぞれの動作を制御することができる。
【００４０】
さらにまた、水素水生成装置１は、コントロール機構６により、水素発生手段２と加圧型気体溶解手段３の稼働時間を５〜６０分間とし、かつこの稼働時間の１〜５倍の停止時間の繰り返しとなるよう、水素発生手段２と加圧型気体溶解手段３を制御することが好ましい。稼働時間は、さらに１０〜３０分間とすることが好ましく、１０〜２０分間とすることがより好ましい。また、停止時間は稼働時間の２〜４倍とすることがより好ましく、３倍とすることが最も好ましい。かかる制御により、エネルギー効率よく水素を液体に飽和状態で溶解させるとともに、水素水の過飽和の状態を維持することができる。
【００４１】
また、加圧型気体溶解手段３のポンプ３ａは、水素及び水を同時に加圧してバブリングしながら加圧送水できるものであり、特に限定されないが、ダイヤフラムポンプを好ましく用い得る。ダイヤフラムポンプを用いることで、より小スペースに加圧型気体溶解手段３を設けることができる。
【００４２】
さらに、溶存槽４は、装置内の液体の総量に対して１／３程度の容量を有することが好ましく、溶存槽４を複数設けても良い。図１では、２つの溶存タンク４１及び４２を備えるが、溶存タンク４１は多孔質体などからなるマイクロフィルターを内部に含み、溶存タンク４２は活性炭フィルターを内部に含み、これらにより水素水の過飽和の状態をより安定に維持することができる。
【００４３】
また、溶存槽４としては、水素を加圧下で溶存できれば、特に形状等は限定されず、マイクロフィルターや活性炭（カーボン）フィルターは他のフィルターであってもよい。さらに、溶存槽４は、溶存タンク４１及び４２それぞれの上側から水素の溶解された水素水を取り込み、下側から送出させることが好ましい。これにより、溶存タンク４１及び４２中の上部に水素ガスを溜めて水素水と水素ガスとを分離出来て、水素水のみを降圧移送手段５へと送出でき、水素ガスのみを降圧移送手段５へと送出することを防止できる。
【００４４】
図３に示すように、例えば、水素水生成装置１はウォーターサーバー１００に接続して使用することができる。すなわち、ウォーターサーバー１００から液体吸入口７を介して水素水生成装置１に水を吸入し、これを水素水生成装置１で循環させて、過飽和の状態で水素を含む水素水を取出口１０から吐出させて使用するのである。このとき、液体吸入口７から空気を取り込んでしまうと、循環経路内の気相中の水素分圧を低下させてしまうので、これを防止できるよう、ウォーターサーバー１００は常に渇水させないことが好ましい。リザーバタンクを備えているとメインタンクの取り替え時にも渇水することがなく好ましい。
【００４５】
水素水生成装置１を用いて、約３０分間の循環による水素水の生成を行ったところ、取出口１０から吐出させた水素水中に５００ｎｍ以下のナノバブルが光学的に観察され、引き続き３日間稼動させたところ２００ｎｍ程度のナノバブルが光学的に観察された。つまり、水素バブルの平均径を時間とともに小さくすることができるのである。水素バブルをナノバブルとすることにより、水素水から浮上するまでの時間を長くでき、長期に亘って過飽和の状態を維持することを容易とする。
【００４６】
過飽和の状態となった水素水において、水素水に含まれる水素の濃度が７℃で２．０〜８．０ｐｐｍであることが好ましい。これにより水素水の過飽和の状態を容易に維持できる。なお、温水に用いてシャワーや入浴に使用することもできるが、この場合は過飽和の状態での水素濃度を低下させ得る。
【００４７】
また、降圧移送手段５の細管５ａは、本発明の効果を妨げない範囲において、水素水を流す際に使用できる部材を使用することができ、例えば、ポリプロピレン製の細管を使用できる。また、細管５ａの外部にアルミを蒸着するなど、水素の漏れの無い構造とすることが好ましい。
【００４８】
以下、本発明について、実施例を用いてさらに詳細に説明するが、本発明はこれらの実施例に限定されるものではない。
【実施例】
【００４９】
（実施例１）
図３に示すように、水素水生成装置１を市販のウォーターサーバー１００に接続して、３０分間の稼働をさせた。これにより、水素水は約４回循環する。降圧移送手段５の細管５ａは、内径２ｍｍで長さ１．６ｍのポリプロピレン製のものを使用した。加圧型気体溶解手段３の圧力を０．４１ＭＰａ、水素発生量を２１ｃｍ３／ｍｉｎ、水の流量を７３０ｃｍ３／ｍｉｎとした。３０分間の稼働により得られた水素水中の水素濃度は、７℃で６．５ｐｐｍとなり、過飽和の状態を維持していた。
【００５０】
（実施例２）
水素水生成装置１を水道に接続して、３０分間の稼働をさせた。これにより、水素水は約４回循環する。降圧移送手段５の細管５ａは、内径２ｍｍで長さ１．６ｍのポリプロピレン製のものを使用した。加圧型気体溶解手段３の圧力を０．２５ＭＰａ、水素発生量を２１ｃｍ３／ｍｉｎ、水の流量を７３０ｃｍ３／ｍｉｎとした。３０分間の稼働により得られた水素水中の水素濃度は、１１℃で２．６ｐｐｍとなり、過飽和の状態を維持していた。
【００５１】
（実施例３）
図３に示すように、水素水生成装置１を市販のウォーターサーバー１００に接続して、３０分間の稼働をさせた。これにより、水素水は約４回循環する。降圧移送手段５の細管５ａは、内径２ｍｍで長さ２．０ｍのポリプロピレン製のものを使用した。加圧型気体溶解手段３の圧力を０．６０ＭＰａ、水素発生量を１５ｃｍ３／ｍｉｎ、水の流量を４６０ｃｍ３／ｍｉｎとした。３０分間の稼働により得られた水素水中の水素濃度は、７℃で３．４ｐｐｍとなり、過飽和の状態を維持していた。
【００５２】
（実施例４）
図３に示すように、水素水生成装置１を市販のウォーターサーバー１００に接続して、３０分間の稼働をさせた。これにより、水素水は約４回循環する。降圧移送手段５の細管５ａは、内径２ｍｍで長さ１．４ｍのポリプロピレン製のものを使用した。加圧型気体溶解手段３の圧力を０．２０ＭＰａ、水素発生量を３０ｃｍ３／ｍｉｎ、水の流量を５５０ｃｍ３／ｍｉｎとした。３０分間の稼働により得られた水素水中の水素濃度は、７℃で２．７ｐｐｍとなり、過飽和の状態を維持していた。
【００５３】
（実施例５）
図３に示すように、水素水生成装置１を市販のウォーターサーバー１００に接続して、３０分間の稼働をさせた。これにより、水素水は約４回循環する。降圧移送手段５の細管５ａは、内径３ｍｍで長さ２．５ｍのポリプロピレン製のものを使用した。加圧型気体溶解手段３の圧力を０．２５ＭＰａ、水素発生量を２０ｃｍ３／ｍｉｎ、水の流量を７００ｃｍ３／ｍｉｎとした。３０分間の稼働により得られた水素水中の水素濃度は、７℃で３．０ｐｐｍとなり、過飽和の状態を維持していた。
【００５４】
（比較例１）
図３に示すように、水素水生成装置１を市販のウォーターサーバー１００に接続して、３０分間の稼働をさせた。これにより、水素水は約４回循環する。降圧移送手段５の細管５ａは、内径２ｍｍで長さ０．４ｍのポリプロピレン製のものを使用した。加圧型気体溶解手段３の圧力を０．０５ＭＰａと低くし、水素発生量を２１ｃｍ３／ｍｉｎ、水の流量を９６０ｃｍ３／ｍｉｎとした。３０分間の稼働により得られた水素水中の水素濃度は、７℃で１．６ｐｐｍとなり、過飽和の状態を維持できなかった。
【００５５】
（比較例２）
図３に示すように、水素水生成装置１を市販のウォーターサーバーに接続して、３０分間の稼働をさせた。これにより、水素水は約４回循環する。降圧移送手段５の細管５ａは、内径３ｍｍで長さ０．８ｍのポリプロピレン製のものを使用した。加圧型気体溶解手段３の圧力を０．０８ＭＰａと低くし、水素発生量を２１ｃｍ３／ｍｉｎ、水の流量を９００ｃｍ３／ｍｉｎとした。３０分間の稼働により得られた水素水中の水素濃度は、７℃で１．８ｐｐｍとなり、過飽和の状態を維持できなかった。
【００５６】
以上のように、実施例１〜実施例５はいずれも過飽和状態の水素水を得ることができ、しかも持続的に維持できた。一方、比較例１および２では、過飽和状態の水素水を得ることができなかった。
【符号の説明】
【００５７】
１  水素水生成装置
２  水素発生手段
２１  電気分解装置
２２  イオン交換装置
２４  水素供給管
２５  酸素排出口
３  加圧型気体溶解手段
４  溶存槽
４１、４２  溶存タンク
５  降圧移送手段
５ａ  細管
６  コントロール機構
【図１】
2017131822.tif 000003
【図２】
2017131822.tif 000004
【図３】
2017131822.tif 000005